(57)【特許請求の範囲】
【請求項１】
表示すべき種々の情報を記憶する情報記憶手段と、
前記情報を表示画面に表示する表示手段と、
注視点を設定する注視点設定手段と、
前記情報の個々の重要度を設定して記憶する重要度設定手段と、
この重要度設定手段により設定された個々の情報の重要度と前記注視点設定手段により設定された注視点からの個々の情報の距離とに基づいて色成分ごとに個々の情報に記憶されている表示色と背景色の重みを変化させて表示画素ごとに表示色を算出する表示色算出手段と、
この表示色算出手段の算出結果に基づいて前記表示画面上での表示色を表示画素ごとに変化させる表示変化手段とを備えたことを特徴とする情報表示装置。
【請求項２】
前記表示変化手段は、前記重要度の低い情報ほど、また前記注視点から離れる情報ほど、前記表示画面上で見えにくくなるように表示色を変化させることを特徴とする請求項１に記載の情報表示装置。
【請求項３】
前記表示画面は特定色を遮断するための特定色遮断手段を備えていることを特徴とする請求項１に記載の情報表示装置。
【請求項４】
前記情報は地図情報であって、
前記重要度設定手段は前記地図情報に含まれる道幅から重要度を設定することを特徴とする請求項１または請求項２に記載の情報表示装置。
【請求項５】
前記情報は地図情報であって、
前記重要度設定手段は前記地図情報に含まれる建造物の大きさから重要度を設定することを特徴とする請求項１または請求項２に記載の情報表示装置。
【請求項６】
前記重要度設定手段は、利用者の入力に応じて重要度を計算あるいは修正することによって算出して設定することを特徴とする請求項１に記載の情報表示装置。
【発明の詳細な説明】
【０００１】
【産業上の利用分野】
本発明は、地図等の情報を表示する情報表示装置に係り、より詳細には、注視点近傍を詳細に、注視点から離れた領域を簡略に表示する情報表示装置に関する。
【０００２】
【従来の技術】
例えば、地図等を表示する情報表示装置では、利用者は目的地等である注視点に近い情報を詳細に必要とする。また、注視点から離れた情報であっても、その注視点である目的地に到達するまでの目印となるような重要度の高い情報は、常に参照されることが多い。そして、利用に際しては、注視点に近い情報を詳細に見ながら全体との関連を認識できることが望ましい。
【０００３】
このような観点に立てば、注視点近傍を詳細に、注視点から離れた領域を簡略に表示することが、利用者にとっては好都合な装置と言える。
【０００４】
ところが、従来の情報表示装置では、記憶されている情報（例えば、地図情報）を全て表示するようになっており、注視点から離れた領域でも、注視点と同様の詳細な情報が表示されてしまうため、利用者にとっては必要とする情報を表示内容から取得するのが困難であるといった問題があった。
【０００５】
そこで、このような問題点を解決すべく、例えば特開平３−１３６０８７号公報に記載された目的地詳細型表示装置（これを従来技術１という）が提案されている。
【０００６】
この従来技術１の装置は、各種の地図情報を階層に分けて記憶している。そして、地図を表示するに際しては、まず注視点の近傍の領域を判別し、近傍の領域ではその領域内の階層の情報を詳細に表示し、領域外では制限された階層の情報のみを表示する構成となっている。これにより、注視点近傍を詳細に、注視点から離れた領域は簡略に地図を表示するものである。
【０００７】
【発明が解決しようとする課題】
しかしながら、従来技術１の装置では、表示する地図情報が注視点の近傍の領域（注視点領域）に入っているかどうかを計算したり、この注視点領域にさしかかる地図情報を適切に表示するために、地図情報と注視点領域との交点を計算したりする必要があり、表示するまでに行わなければならない計算等の処理量が多いといった問題があった。
【０００８】
本発明はこのような問題点を解決すべく創案されたもので、その目的は、個々の情報の重要度と注視点からの個々の情報の距離とに応じて表示色を変化させることにより、処理量を増大させることなく、利用者が注視している領域を詳細に表示し、かつ全体との関連も認識しやすい情報表示装置を提供することにある。
【０００９】
【課題を解決するための手段】
上記課題を解決するため、本発明の情報表示装置は、表示すべき種々の情報を記憶する情報記憶手段と、前記情報を表示画面に表示する表示手段と、注視点を設定する注視点設定手段と、前記情報の個々の重要度を設定して記憶する重要度設定手段と、この重要度設定手段により設定された個々の情報の重要度と前記注視点設定手段により設定された注視点からの個々の情報の距離とに基づいて色成分ごとに個々の情報に記憶されている表示色と背景色の重みを変化させて表示画素ごとに表示色を算出する表示色算出手段と、この表示色算出手段の算出結果に基づいて前記表示画面上での表示色を表示画素ごとに変化させる表示変化手段とを備えた構成とする。この場合、前記表示変化手段は、前記重要度の低い情報ほど、また前記注視点から離れる情報ほど、前記表示画面上で見えにくくなるように表示色を変化させるように構成してもよい。また、前記表示画面は特定色を遮断するための特定色遮断手段をさらに備えた構成としてもよい。
【００１０】
ここで、前記情報は地図情報であって、前記重要度設定手段は、前記地図情報に含まれる道幅や建造物の大きさなどから重要度を設定するように構成してもよい。また、前記重要度設定手段は、利用者の入力に応じて重要度を計算あるいは修正することによって算出して設定するように構成してもよい。
【００１１】
【作用】
以下、本発明の作用について述べる。
【００１２】
表示色算出手段は、重要度設定手段により設定された個々の情報（例えば地図情報）の重要度と、注視点設定手段により設定された注視点からの個々の地図情報の距離とに基づいて、色成分ごとに個々の地図情報に記憶されている表示色と背景色の重みを変化させて表示画素ごとに表示色を算出する。表示変化手段は、この表示色算出手段の算出結果に基づいて、表示画面上での表示色を表示画素ごとに変化させる。これにより、重要度の高い地図情報は注視点から離れていても明瞭に提示され、詳細な情報は注視点付近のみ明瞭に提示される。つまり、注視点の近傍では視認性の高い表示色とし、重要度の高い地図情報を除いては、注視点から離れるほど、視認性の低い表示色とする。
【００１３】
これにより、利用者にとっては、注視点の近傍が強調された表示画面となることから、必要とする地図情報を表示内容から取得するのが容易となる。
【００１４】
ここで、重要度を設定する方法としては、地図情報に含まれる道幅や建造物の大きさなどから重要度を計算して設定する方法が考えられる。また、利用者の入力に応じて重要度を計算あるいは修正することによって設定するようにしてもよい。
【００１５】
この場合、表示変化手段は、重要度の低い情報ほど、また注視点から離れる情報ほど、表示画面上で見えにくくなるように表示色を変化させる。このように表示色を変化させる方法として、表示画面に、特定色を遮断するための特定色遮断手段、例えばフィルタを備えた構成とすることが考えられる。
【００１６】
例えば、注視点から離れた重要度の低い地図情報の表示色を背景色に近づけることにより、注視点から離れた地図情報及び重要度の低い地図情報を見えにくくすることができる。
【００１７】
また、重要度の高い地図情報は赤色成分の大きい表示色とし、重要度の低い地図情報は緑色成分の大きい表示色として、表示画面の周辺部ほど緑色成分の色をより多く遮断することにより、表示画面の周辺部では、重要度の低い地図情報を見えにくくすることができる。
【００１８】
これにより、注視点に近い地図情報を詳細に見ながら、全体との関連も認識することが可能となる。
【００１９】
【実施例】
以下、本発明の実施例を図面を参照して説明する。
【００２０】
図１は、本発明の情報表示装置を地図情報を表示する装置に適用した実施例を示している。
【００２１】
本実施例の情報表示装置は、情報記憶部１、重要度記憶／算出部２、表示部３、注視点設定部４、距離記憶／算出部５、表示色算出部６及び表示位置決定部７によって構成されている。
【００２２】
情報記憶部１は、表示すべき種々の地図情報を記憶しているブロックで、その出力は、重要度記憶／算出部２、距離記憶／算出部５、表示色算出部６及び表示位置決定部７に導かれている。
【００２３】
重要度記憶／算出部２は、情報記憶部１に記憶されている地図情報の重要度を算出するブロックで、その出力は表示色算出部６に導かれている。
【００２４】
表示部３は、地図情報を表示するブロックであって、ＣＲＴや液晶等の表示装置を備えている。
【００２５】
注視点設定部４は、地図中の注視点（目的地等）を設定するブロックで、その出力は距離記憶／算出部５に導かれている。
【００２６】
距離記憶／算出部５は、注視点設定部４で設定された注視点からの距離（表示部３の表示画面上での距離）を算出するブロックで、その出力は、表示色算出部６に導かれている。
【００２７】
表示色算出部６は、重要度記憶／算出部２により算出された重要度、及び距離記憶／算出部５により算出された注視点からの距離に応じて、情報記憶部１に記憶されている地図情報を表示するための色を算出するブロックで、その出力は表示位置決定部７に導かれている。
【００２８】
表示位置決定部７は、情報記憶部１に記憶されている地図情報を表示部３の表示画面上に表示する位置を決定するブロックである。
【００２９】
上記構成において、請求項１及び２に記載の表示変化手段は、表示色算出部６と表示位置決定部７とによって構成されている。
【００３０】
図２は、上記構成の情報表示装置の動作を説明するためのフローチャートである。
【００３１】
すなわち、情報表示装置は、まず表示すべき地図情報を情報記憶部１より読み出す（ステップＳ１）。この読み出された地図情報は、重要度記憶／算出部２、距離記憶／算出部５、表示色算出部６及び表示位置決定部７のそれぞれに与えられる。
【００３２】
重要度記憶／算出部２では、ステップＳ１で読み出された地図情報の重要度を取得し、これを表示色算出部６に出力する（ステップＳ２）。
【００３３】
一方、距離記憶／算出部５では、ステップＳ１で読み出された地図情報と、注視点設定部４で設定された注視点との距離を取得し、これを表示色算出部６に出力する（ステップＳ３）。
【００３４】
表示色算出部６では、重要度記憶／算出部２で取得された重要度と、距離記憶／算出部５で取得された距離とに基づき、対応する地図情報の表示すべき色を算出し、これを表示位置決定部７に出力する（ステップＳ４）。
【００３５】
表示位置決定部７では、情報記憶部１より読み出された地図情報を表示部３の表示画面上に表示する位置を決定するとともに（ステップＳ５）、表示色算出部６により算出された表示色で、その地図情報を表示部３の表示画面上に表示する（ステップＳ６）。
【００３６】
以上の処理を、すべての地図情報に対して行うことにより（ステップＳ７）、表示部３の表示画面には、重要度と注視点からの距離とに応じて表示色の異なる情報が表示されることになる。
【００３７】
図３は、重要度記憶／算出部２において、情報記憶部１に記憶されている地図情報の重要度を取得する方法（ステップＳ２）の具体例を示している。
【００３８】
情報記憶部１には、図３（ａ）に示すように、それぞれの地図情報が２次元座標として記憶されているとともに、その種類が併せて記憶されており、重要度記憶／算出部２には、図３（ｂ）に示すように、その種類に応じた重要度が数値（１０から１００まで１０単位で重み付けされた数値）に対応付けられて記憶されている。本実施例では、幹線道路や目印となる建造物等が重要度の高い地図情報として記憶されている。
【００３９】
これにより、重要度記憶／算出部２では、情報記憶部１に記憶されている地図情報の重要度を参照することができる。
【００４０】
なお、情報記憶部１に記憶されている地図情報に種類が記憶されていない場合には、地図情報の中の道幅、建造物の大きさなどから重要度を計算するようにしても良い。この場合、情報記憶部１には、幹線道路では道幅を示すデータ、建造物等ではその大きさを示すデータを併せて記憶しておく必要がある。
【００４１】
また、利用者の入力等から重要度を計算したり、重要度記憶／算出部２で取得された重要度に修正を加えることができるようにすれば、より使い勝手の良いものとなる。例えば、利用者が目的地を入力した場合、その目的地の重要度は高くなるように設定する。また、利用者が道路の種類や建造物の種類を選択して、それらの重要度を高く設定できるようにする。
【００４２】
図４乃至図６は、距離記憶／算出部５において、注視点からの表示部３の表示画面上での距離を取得する方法（ステップＳ３）の具体例を示している。
【００４３】
図４は、距離記憶／算出部５に記憶される距離データテーブルの一例であって、注視点からの距離を記憶する方法の一実施例を示しており、各数値は、表示部３における各表示画素に対応している。すなわち、各表示画素ごとに中央部１０からの距離を記憶しておき、注視点を中央部１０に対応させることにより、各表示画素における注視点からの距離を参照することができる。図４に示す実施例では、各表示画素は中央部１０からの直線距離を記憶している。
【００４４】
図５は、距離記憶／算出部５に記憶される距離データテーブルの他の例であって、注視点からの距離を記憶する方法の他の実施例を示しており、中央部１０を中心とする正方形の最外周の領域が、中央部１０から等距離となるように設定されている。つまり、記憶される距離は、中央部１０からの直線距離とはなっていない。
【００４５】
図６は、図４及び図５に示した距離データテーブルを参照する方法の実施例を示している。すなわち、距離記憶／算出部５の距離データテーブルにおける中央部１０を、表示部３の表示画面上の注視点９に対応させ、表示画面上の各表示画素に対応する距離データテーブルの値を参照することで、各表示画素における注視点からの距離を参照することができる。
【００４６】
注視点からの距離を取得する他の方法としては、表示部３に表示される表示画素ごとに、注視点からの距離を計算する方法もある。また、直線においては端点のみの注視点からの距離を計算し、中間の表示画素は補間計算により注視点からの距離を取得する方法も可能である。
【００４７】
次に、表示色算出部６において、地図情報を表示すべき色を算出する方法（ステップＳ４）の具体例について説明する。
【００４８】
表示色算出部６では、地図情報の種類ごとに表示色を記憶しておき、重要度記憶／算出部２にて取得された地図情報の重要度、及び距離記憶／算出部５にて取得された注視点からの距離を用いて、例えば次式のようにして表示色を算出する。
【００４９】
【数１】
Ｒ＝αＲ0 ＋（１−α）Ｒb 
Ｇ＝αＧ0 ＋（１−α）Ｇb 
Ｂ＝αＢ0 ＋（１−α）Ｂb 
α＝ｋ×Ｉ×（Ｄmax −Ｄ）／（Ｄmax −Ｄmin ）
ただし、α＞１．０のときはα＝１．０、α＜０．０のときはα＝０．０とする。
【００５０】
ここで、Ｒ：表示色の赤色成分の強度、Ｇ：表示色の緑色成分の強度、Ｂ：表示色の青色成分の強度、Ｒ0 ：地図情報の種類に応じて記憶されている表示色の赤色成分の強度、Ｇ0 ：地図情報の種類に応じて記憶されている表示色の緑色成分の強度、Ｂ0 ：地図情報の種類に応じて記憶されている表示色の青色成分の強度、Ｒb ：地図の背景色の赤色成分の強度、Ｇb ：地図の背景色の緑色成分の強度、Ｂb ：地図の背景色の青色成分の強度、Ｉ：重要度記憶／算出部２にて取得された地図情報の重要度、Ｄ：距離記憶／算出部５にて取得された注視点からの距離、Ｄmax ：地図情報を表示する最大の距離、Ｄmin ：表示色に対して距離の影響の及ぶ最小の距離、ｋ：係数、である。
【００５１】
上式によれば、重要度の低い情報や注視点から離れた情報の透明度を高くするような表示色になる。この他にも、輝度のみを高くしたり、特定の色成分のみを高くするように表示色を算出することも可能である。これにより、注視点から離れた情報及び重要度の低い情報を見えにくくすることができる。
【００５２】
図７は、本発明の情報表示装置を地図情報を表示する装置に適用した他の実施例を示している。
【００５３】
本実施例の情報表示装置は、情報記憶部１、重要度記憶／算出部２、表示部３、注視点設定部４、表示色算出部６、表示位置決定部７及び特定色遮断部８によって構成されている。なお、図１に示した実施例と同じ機能ブロックには同符号を付している。
【００５４】
情報記憶部１は、表示すべき種々の地図情報を記憶しているブロックで、その出力は、重要度記憶／算出部２、表示色算出部６及び表示位置決定部７に導かれている。
【００５５】
重要度記憶／算出部２は、情報記憶部１に記憶されている地図情報の重要度を算出するブロックで、その出力は表示色算出部６に導かれている。
【００５６】
表示部３は、地図情報を表示するブロックであって、ＣＲＴや液晶等の表示装置を備えている。
【００５７】
注視点設定部４は、地図中の注視点（目的地等）を設定するブロックで、その出力は表示色算出部６に導かれている。
【００５８】
表示色算出部６は、重要度記憶／算出部２により算出された重要度、及び注視点設定部４により設定された注視点に基づいて、情報記憶部１に記憶されている地図情報を表示するための色を算出するブロックで、その出力は表示位置決定部７に導かれている。
【００５９】
表示位置決定部７は、情報記憶部１に記憶されている地図情報を表示部３の表示画面上に表示する位置を決定するブロックである。
【００６０】
特定色遮断部８は、表示部３の表示画面上に表示された色のうち特定色を遮断するブロックであって、本実施例ではフィルタによって構成されている。
【００６１】
上記構成において、請求項１及び２に記載の表示変化手段は、表示色算出部６と表示位置決定部７とによって構成されており、請求項３に記載の特定色遮蔽手段は特定色遮断部８によって構成されている。
【００６２】
図８は、上記構成の情報表示装置の動作を説明するためのフローチャートである。
【００６３】
すなわち、情報表示装置は、まず表示すべき地図情報を情報記憶部１より読み出す（ステップＳ１１）。この読み出された地図情報は、重要度記憶／算出部２、表示色算出部６及び表示位置決定部７のそれぞれに与えられる。
【００６４】
重要度記憶／算出部２では、ステップＳ１１で読み出された地図情報の重要度を取得し、これを表示色算出部６に出力する（ステップＳ１２）。
【００６５】
一方、表示色算出部６では、重要度記憶／算出部２で取得された重要度と、注視点設定部４により設定された注視点とに基づき、対応する地図情報の表示すべき色を算出し、これを表示位置決定部７に出力する（ステップＳ１３）。
【００６６】
表示位置決定部７では、情報記憶部１より読み出された地図情報を表示部３の表示画面上に表示する位置を決定するとともに（ステップＳ１４）、表示色算出部６により算出された表示色で、その地図情報を表示部３の表示画面上に表示する（ステップＳ１５）。
【００６７】
以上の処理を、すべての地図情報に対して行うことにより（ステップＳ１６）、表示部３の表示画面には、重要度と注視点からの距離とに応じて表示色の異なる情報が表示されることになる。
【００６８】
図９乃至図１２は、特定色遮断部８による遮断の具体例を説明するためのものである。
【００６９】
図９は、表示部３に表示される地図情報の例であり、図中、国道１１や橋１２、目印となる建造物１３などの重要な地図情報の表示色は、それ以外の地図情報の表示色と異なっている。
【００７０】
図１０は、特定色遮断部８の一例を示している。本実施例では、中心部より同心円状に一定の幅でフィルタの色を変化させており、周辺部ほど特定の色成分を遮断するように構成している。遮断する色は、重要度の低い地図情報を表示する色に併せれば、注視点を表示画面の中央に合わせて表示することにより、重要度の低い地図情報は画面周辺部では利用者に見えにくくすることができる。
【００７１】
図１１は、図９に示す画面表示された地図情報を、図１０に示す特定色遮断部８を用いて遮断したときに、利用者に提示される地図情報の一例を示している。図１１に示すように、国道１１や橋１２のような重要度の高い地図情報は、注視点（ここでは、画面中央のガソリンスタンド（ＧＳ）である）から離れていても明瞭に提示され、詳細な情報は注視点付近のみ明瞭に提示される。
【００７２】
なお、図１２は、図９乃至図１１の関係を示しており、最下部のものが表示部３の表示画面、中央部のものが特定色遮断部８であるフィルタ、最上部のものが利用者に提供される表示画面である。
【００７３】
また、上記実施例では、本発明の情報表示装置を地図情報を表示する装置に適用した場合について説明しているが、一般的な情報であっても同様の手段で実施することが可能である。
【００７４】
【発明の効果】
本発明の情報表示装置は、表示すべき種々の情報を記憶する情報記憶手段と、前記情報を表示画面に表示する表示手段と、注視点を設定する注視点設定手段と、前記情報の個々の重要度を設定して記憶する重要度設定手段と、この重要度設定手段により設定された個々の情報の重要度と前記注視点設定手段により設定された注視点からの個々の情報の距離とに基づいて色成分ごとに個々の情報に記憶されている表示色と背景色の重みを変化させて表示画素ごとに表示色を算出する表示色算出手段と、この表示色算出手段の算出結果に基づいて前記表示画面上での表示色を表示画素ごとに変化させる表示変化手段とを備えた構成としたので、重要度の高い情報（例えば地図情報）は注視点から離れていても明瞭に提示することができ、詳細な情報は注視点付近のみ明瞭に提示することができる。また、注視点の近傍では視認性の高い表示色とし、重要度の高い情報を除いては、注視点から離れるほど視認性の低い表示色とすることで、利用者にとっては、注視点の近傍が強調された表示画面となることから、必要とする情報を表示内容から取得するのが容易となる。また、装置内での処理量を増大させることなく、利用者が注視している領域を詳細に表示することができ、かつ全体との関連も認識しやすい表示画面とすることができる。
【００７５】
本発明の情報表示装置は、表示変化手段を、重要度の低い情報ほど、また注視点から離れる情報ほど、表示画面上で見えにくくなるように表示色を変化させるように構成する。例えば、注視点から離れた重要度の低い情報の表示色を背景色に近づけることにより、注視点から離れた情報及び重要度の低い情報を見えにくくすることができる。また、重要度の高い情報は赤色成分の大きい表示色とし、重要度の低い情報は緑色成分の大きい表示色として、表示画面の周辺部ほど緑色成分の色をより多く遮断することにより、表示画面の周辺部では、重要度の低い情報を見えにくくすることができる。これにより、利用者にとっては、注視点の近傍が強調された表示画面となることから、必要とする情報を表示内容から取得するのが容易となる。また、装置内での処理量を増大させることなく、利用者が注視している領域を詳細に表示することができ、かつ全体との関連も認識しやすい表示画面とすることができる。
【図面の簡単な説明】
【図１】本発明の情報表示装置を地図情報を表示する装置に適用した実施例を示す機能ブロック図であって、請求項１に対応している。
【図２】図１に示す情報表示装置の動作を説明するためのフローチャートである。
【図３】情報記憶部に記憶されている地図情報のデータと重要度記憶／算出部に記憶されている重要度データとを示す図である。
【図４】距離記憶／算出部に記憶される距離データテーブルの一例を示す図である。
【図５】距離記憶／算出部に記憶される距離データテーブルの他の例を示す図である。
【図６】距離データテーブルを参照する方法を説明するための図である。
【図７】本発明の情報表示装置を、地図情報を表示する装置に適用した実施例を示す機能ブロック図であって、請求項２に対応している。
【図８】図７に示す情報表示装置の動作を説明するためのフローチャートである。
【図９】表示部に表示される地図情報の一例を示す図である。
【図１０】特定色遮断部であるフィルタの一例を示す図である。
【図１１】画面表示された地図情報を特定色遮断部を用いて遮断したときに、利用者に提示される地図情報の一例を示す図である。
【図１２】図９乃至図１１の関係を示す図である。
【符号の説明】
１  情報記憶部
２  重要度記憶／算出部（重要度設定手段）
３  表示部
４  注視点設定部
５  距離記憶／算出部
６  表示色算出部
７  表示位置決定部
８  特定色遮断部
【図１】
0003688751.tif 000002
【図２】
0003688751.tif 000003
【図３】
0003688751.tif 000004
【図４】
0003688751.tif 000005
【図５】
0003688751.tif 000006
【図６】
0003688751.tif 000007
【図７】
0003688751.tif 000008
【図８】
0003688751.tif 000009
【図９】
0003688751.tif 000010
【図１０】
0003688751.tif 000011
【図１１】
0003688751.tif 000012
【図１２】
0003688751.tif 000013